(57)【要約】【課題】  机上に置いて使用するときの設置スペースを小さくできて使い勝手が良好な卓上カレンダを提供する。【解決手段】  開閉可能に連結された２つの第１および第２部材１，２からなり、第１部材１には、カレンダ用紙ＣＡの収容部１５が形成されており、第２部材２には、第１部材１との連結部分に、第２部材２の第１部材１に対する閉鎖方向とは逆方向への転回を可能とし、転回させたときに第１部材１の背面に当接して、第１および第２部材１，２を側面視ほぼＡ字形に保持させる開放部２４が形成されている。【選択図】      図１
2005271388.tif 000002
【特許請求の範囲】
【請求項１】
開閉可能に連結された２つの第１および第２部材からなり、
第１部材には、カレンダ用紙の収容部が形成されており、
第２部材には、第１部材との連結部分に、第２部材の第１部材に対する閉鎖方向とは逆方向への転回を可能とし、転回させたときに第１部材の背面に当接して、第１および第２部材を側面視ほぼＡ字形に保持させる開放部が形成されている卓上カレンダ。
【請求項２】
請求項１において、第１部材は、底壁と、これの周縁から起立する側壁とを備え、これら底壁と側壁で囲まれる内部空間にカレンダ用紙の収容部が形成されており、第１部材における第２部材との連結部分の反対側には、収容部に収容されたカレンダ用紙の端部を保持する保持片が設けられている卓上カレンダ。
【請求項３】
請求項１または２において、第１部材の底壁で第２部材との連結部分の反対側端部に保持片と対向状に開口部が形成されている卓上カレンダ。
【請求項４】
請求項１〜３の何れかにおいて、第２部材は、底壁と、これの両側周縁から起立する側壁とを備え、この両側壁の高さ方向中間にカレンダ用紙や写真を受けて底壁との間に保持する受片が形成されており、第１部材には、その底壁の両側周縁から起立する側壁に、第２部材の第１部材に対する閉鎖時に受片を収納する第１切欠き部が形成されている卓上カレンダ。
【請求項５】
請求項１〜４の何れかにおいて、第１および第２部材が着脱可能に連結されている卓上カレンダ。
【請求項６】
請求項１〜５の何れかにおいて、第１部材の第２部材との連結部分の反対側に形成される保持片の両側に、書類を差し込んで保持する第２切欠き部が形成されている卓上カレンダ。
【請求項７】
請求項１〜６の何れかにおいて、第１および第２部材が透明なプラスチック材料で形成されている卓上カレンダ。
【発明の詳細な説明】
【技術分野】
【０００１】
本発明は、卓上カレンダに関する。
【背景技術】
【０００２】
卓上カレンダとして、市販のＣＤケースのような収容ケースにカレンダ用紙を収容したものが知られている（特許文献１参照）。この従来の卓上カレンダＤＣ０は、図９に示すように、カレンダ用紙を収容するケース本体Ａと、このケース本体Ａに支軸Ｂを介して開閉可能に支持された蓋体Ｃとから構成されている。机上で使用するときには、蓋体Ｃを、支軸Ｂを中心にケース本体Ａの背面側へと約２７０度転回させ、この状態で蓋体Ｃを机上に載置して、ケース本体Ａに収容されたカレンダ用紙を後傾姿勢に起立保持させて使用する。
【特許文献１】特開平０９−４８１８５号公報
【発明の開示】
【発明が解決しようとする課題】
【０００３】
しかし、従来の卓上カレンダＤＣ０では、机上に置いて使用するときのデッドスペースが大きく、大きな設置スペースを必要とするので、使い勝手が悪い。つまり、机上のスペースをできるだけ広く使うためには、卓上カレンダＤＣ０を机上の奥側に置くことが望ましいが、奥側には通常書類や壁などの障害物Ｅがあるので、この障害物Ｅに蓋体Ｃの先端が当たり、障害物Ｅとカレンダ用紙が収容されたケース本体Ａとの間に大きなデッドスペースＤが生じて、机上の有効利用が図れない。
【０００４】
そこで、本発明は、机上に置いて使用するときの設置スペースを小さくできて使い勝手が良好な卓上カレンダを提供することを、主たる目的とする。
【課題を解決するための手段】
【０００５】
上記目的を達成するために、本発明の卓上カレンダは、開閉可能に連結された２つの第１および第２部材からなり、第１部材には、カレンダ用紙の収容部が形成されており、第２部材には、第１部材との連結部分に、第２部材の第１部材に対する閉鎖方向とは逆方向への転回を可能とし、転回させたときに第１部材の背面に当接して、第１および第２部材を側面視ほぼＡ字形に保持させる開放部が形成されている。
【０００６】
卓上カレンダを使用するときには、第１部材に対して第２部材を閉鎖方向とは逆方向に転回させる。このとき、第２部材には、第１部材との連結部分に開放部が形成されているので、第２部材は第１部材の背面側にまで転回され、この第１部材の背面に第２部材に設けた開放部の端縁が当接して、第１および第２部材が側面視ほぼＡ字形となる。この状態で第１および第２部材の連結部分とは反対側端部を机上に載置することにより、各部材つまり卓上カレンダは側面視ほぼＡ字形に起立される。このため、卓上カレンダを机上に置いて使用するときの設置スペースが小となり、奥側に書類や壁などの障害物があっても、障害物と卓上カレンダとの間に従来のもののように大きなデッドスペースが発生することはなく、使い勝手が良好となって机上スペースの有効利用が図れる。
【０００７】
本発明の一実施形態では、第１部材が、底壁と、これの周縁から起立する側壁とを備えていて、これら底壁と側壁で囲まれる内部空間にカレンダ用紙の収容部が形成されており、第１部材における第２部材との連結部分の反対側には、収容部に収容されたカレンダ用紙の端部を保持する保持片が設けられている。この構成によれば、第１部材の収容部にカレンダ用紙を収容して、第２部材を連結部分を中心に転回させて前記収容部を閉鎖することにより、卓上カレンダの輸送時などに便利となる。また、卓上カレンダを机上に置いて使用するとき、前記収容部に収容されたカレンダ用紙の端部が前記保持片によって保持されるので、使用時にカレンダ用紙が前記収容部から脱落することがない。
【０００８】
本発明の他の実施形態では、第１部材の底壁で第２部材との連結部分の反対側端部に保持片と対向する開口部が形成されている。この構成によれば、第１，第２部材を閉鎖した状態で、開口部から収容部内へのカレンダ用紙の差し込みが容易に行えるばかりか、開口部を形成することで第１部材を成形するときに保持片が湾曲してしまうのを防止できる。また、前記第１部材の底壁で保持片との対向部位に開口部を形成することにより、この保持片の内面側からも社名や広告などを印刷、刻印することが可能となり、この広告などを保持片の表面側に印刷、刻印する場合に較べて広告などが汚れにくくなる。
【０００９】
本発明のさらに他の実施形態では、第２部材が、底壁と、これの両側周縁から起立する側壁とを備えていて、この両側壁の高さ方向中間にカレンダ用紙や写真を受けて底壁との間に保持する受片が形成されており、第１部材には、その底壁の両側周縁から起立する側壁に、第２部材の第１部材に対する閉鎖時に受片を収納する第１切欠き部が形成されている。この構成によれば、第２部材に設けた受片と底壁との間にカレンダ用紙を横向きに挟み込み、かつ、第１部材にカレンダ用紙を横向きに収容して、各部材を転回させるのではなく左右方向に見開き状態として横向きに載置することにより、第１部材側に収容されたカレンダ用紙と第２部材の受片に保持されたカレンダ用紙をともに表示させて、少なくとも２箇月のカレンダ表示が行える。また、前記受片と底壁の間に写真などを挟み込むことにより、カレンダ用紙とともに写真などの表示も同時に行える。さらに、第１部材に対し第２部材を転回させて閉鎖するとき、第１部材に設けた受片は、第２部材に形成した第１切欠き部に収納されるので、第２部材の第１部材に対する閉鎖が確実に行えて外観も良好となる。また、前記第１部材内に収容されたカレンダ用紙は、第１部材に形成した第１切欠き部から一部露出されるので、この第１切欠き部の部分に指を当てて収容部内のカレンダ用紙を挟むことにより、カレンダ用紙を収容部外に容易に取り出すことも可能となる。
【００１０】
本発明のさらに他の実施形態では、第１および第２部材が着脱可能に連結されている。この構成によれば、写真などの表示を行うとき、第１部材に対し第２部材を取り外し、この第２部材に写真などを保持させ、これを反転して底壁が表となるように第１部材に取り付け、写真などを表面に直接表出させるのではなく、第２部材の底壁を介して表出させることにより、写真などが汚れるのを防止することも可能となる。
【００１１】
本発明のさらに他の実施形態では、第１部材の第２部材との連結部分の反対側に形成される保持片の両側に、書類を差し込んで保持する第２切欠き部が形成されている。この構成によれば、保持片の両側に形成される第２切欠き部に書類を差し込むことにより、卓上カレンダのペーパホルダとしての利用も可能となる。
【００１２】
本発明のさらに他の実施形態では、第１および第２部材が透明なプラスチック材料で形成されている。この構成によれば、写真などの表示を行うとき、写真などを保持した第２部材を反転させて、その底壁が表となるように第１部材に取り付け、写真などを第２部材の底壁を介して表出させるような場合に、写真などの外部表出を確実に行える。
【発明の効果】
【００１３】
以上の本発明の卓上カレンダによれば、机上に置いて使用するときの設置スペースを小さくして使い勝手を良好にできる。
【発明を実施するための最良の形態】
【００１４】
以下、本発明にかかる卓上カレンダを図面に基づいて説明する。図１は本発明にかかる卓上カレンダの一実施形態を示す分解斜視図、図２は組み立てた状態を示す斜視図、図３は図２のＸ−Ｘ方向からの断面図である。図の卓上カレンダＤＣは、矩形の有底箱状の第１部材１と、これに開閉可能に連結されて第１部材１の開口側を閉鎖する矩形の第２部材２からなり、これらの部材１，２はそれぞれポリスチレンなどの透明なプラスチック材料で形成されている。第１部材１は、矩形の底壁１０と、その周縁から一体に起立されて互いに対向する前後左右の４つの第1〜第４側壁１１〜１４とからなり、これら底壁１０と各側壁１１〜１４で囲まれる内部空間がカレンダ用紙ＣＡの収容部１５とされている。
【００１５】
前記第１部材１における左右の第３，第４側壁１３，１４の前部側で第1側壁１1の近くには、第２部材２に設けた後述の支軸が挿入される挿入孔１６が形成されている。また、第１部材１の前記挿入孔１６の形成側とは反対側端部には、後部側の第２側壁１２の上部および第３，第４側壁１３，１４の後方一部の上部に一体に連結されて底壁１０と対向する保持片１７が設けられ、この保持片１７により前記収容部１５に収容されたカレンダ用紙ＣＡの下側端部を保持する構成としている。さらに、前記保持片１７の左右両側には、書類を差し込んで保持する平面視Ｕ字形の第２切欠き部１７ａが形成されている。
【００１６】
前記第２部材２は、矩形の底壁２０と、その左右側縁から一体に起立されて互いに対向する左右２つの第1，第２側壁２１，２２とからなり、これら側壁２１，２２の一側端部で内面側には、前記第１部材１の第３，第４側壁１３，１４に設けた挿入孔１６に挿入されて第１部材１に対し第２部材２を開閉可能に支持する支軸２３が突設されている。また、前記底壁２０の支軸２３側つまり第１部材１に対する第２部材２の開閉基点側には、第２部材２の第１部材１に対する閉鎖方向とは逆方向への転回を可能とし、後述の図４，図５に示すように、転回させたときに第１部材１の底壁１０の背面一部に当接して、第１および第２部材１，２をほぼ直角三角形状として側面視ほぼＡ字形に保持させる開放部２４が形成されている。
【００１７】
前記支軸２３が形成される第1，第２側壁２１，２２は、前記開放部２４を設けることにより底壁２０からの突出長さが長くされて、これら側壁２１，２２の支軸２３の形成部位が弾性変形可能とされている。これにより前記支軸２３の挿入孔１６に対する着脱、つまり第１部材１に対する第２部材２の着脱が可能とされて、第２部材２を表裏両面が使用可能となるように第1部材１に対して付け替えできるように構成されている。また、前記第２部材２における第１，第２側壁２１，２２の高さ方向中間には、写真やカレンダ用紙ＣＡを受けて底壁２０との間に保持する受片２５が切り起し状に形成されている。一方、前記第１部材１における第３，第４側壁１３，１４の受片２５との対向部位には、第２部材２を第１部材１に対し閉鎖するとき、受片２５を収納する第１切欠き部１８が形成されている。なお、図の実施形態では、前記第１，第２側壁２１，２２にそれぞれ１個の受片２５を設けたが、この受片２５は複数個を設けてもよい。
【００１８】
また、前記第１部材１の底壁１０で保持片１７との対向部位には、第３，第４側壁１３，１４の間に跨って開口部１９が形成されている。この開口部１９を形成しない場合、第１部材１の成形時に保持片１７の中央部が、底壁１０側に湾曲してしまい、カレンダ用紙ＣＡが収容部１５に収まりきらないという問題が発生する。しかし、開口部１９を形成すると、成形時に前記保持片１７が湾曲するのが抑制される。また、前記第１部材１の底壁１０で保持片１７との対向部位に開口部１９を形成することにより、この保持片１７の内面側からも社名や広告などを印刷、刻印することが可能となり、この広告などを保持片１７の表面側に印刷、刻印する場合に較べて広告などが汚れにくくなる。前記カレンダ用紙ＣＡは、図３のように、第１部材１に対し第２部材２を閉鎖したとき、第２部材１の開放部２４によって形成される隙間から収容部１５内に差し込まれ、また、カレンダ用紙ＣＡは前記開口部１９からも収容部１５内に差し込み可能とされている。つまり、カレンダ用紙ＣＡは、開放部２４および開口部１９の何れからでも差し込み可能とされている。
【００１９】
図の実施形態では、前記第２部材２における第１，第２側壁２１，２２の支軸２３とは反対側の端部に切欠き２ａを設け、一方、前記第１部材１における第３，第４側壁１３，１４の保持片１７の形成側に前記切欠き２ａを受け入れ可能な段部１ａが形成されている。また、前記第１部材１における第３，第４側壁１３，１４と前記第２部材２における第１，第２側壁２１，２２には、第１部材１に対する第２部材２の閉鎖時に、互いに係合する凸部と係合穴が設けられる。図の実施形態では、前記第１部材１における第３，第４側壁１３，１４の外面に凸部１ｂを設け、一方、前記第２部材２における第１，第２側壁２１，２２に前記凸部１ｂに係合可能な係合穴２ｂが形成されている。このような構造とすることで、第１部材１に対する第２部材２の閉鎖時に、前記切欠き２ａを段部１ａに当接すると共に、前記凸部１ｂを係合穴２ｂに係合することにより、保持片１７に対し第２部材２の底壁２０を表面フラット状に保持するようにしている。
【００２０】
次に、以上の卓上カレンダＤＣを使用するときの手順について説明する。先ず、図２，図３のように、第２部材２を第１部材１に対し支軸２３を中心に転回させて第１部材１の収容部１５を閉鎖する。この状態で、第２部材２に形成された開放部２４または第１部材１に形成された開口部１９からカレンダ用紙ＣＡが差し込まれて第１部材１の収容部１５内に収容される。このように第２部材２で閉鎖された第１部材１の収容部１５内にカレンダ用紙ＣＡを収容することにより、卓上カレンダの輸送時などに便利となる。また、前記第２部材２の開放部２４や第１部材１の開口部１９から収容部１５内にカレンダ用紙ＣＡを容易に差し込めるので、カレンダ用紙ＣＡのセット作業時などに便利となる。
【００２１】
そして、卓上カレンダＤＣを机上に置いて使用するときには、図４，図５に示すように、第２部材２を第１部材１に対して支軸２３を中心に閉鎖方向とは逆方向に転回させる。このとき、第２部材２には、その支軸２３の近くつまり第１部材１に対する第２部材２の開閉基点側に開放部２４が形成されているので、転回によって第２部材２の開放部２４の端縁が第１部材１の底壁１０の背面一部に当接して、第１および第２部材１，２は上部側が鋭角となるほぼ直角三角形状とされて側面視ほぼＡ字形に保持される。この状態で第１および第２部材１，２の開閉基点側とは反対側端部を、第１部材１の収容部１５に収容されたカレンダ用紙ＣＡが正面を向くようにして机上に載置することにより、各部材１，２つまり卓上カレンダＤＣは側面視ほぼＡ字形に起立される。このため、卓上カレンダＤＣを机上に置いて使用するときの設置スペースが小となる。また、従来例と併記して示す図９のように、奥側に書類や壁などの障害物Ｅがあっても、障害物Ｅと卓上カレンダＤＣとの間に従来の卓上カレンダＤＣ０のように大きなデッドスペースＤが発生することはなく、使い勝手が良好となって机上スペースの有効利用が図れる。
【００２２】
また、卓上カレンダＤＣを机上に置いて使用するとき、前記第１部材１の収容部１５に収容されたカレンダ用紙ＣＡは、その端部が前記保持片１７と底壁１０との間に挿入されて保持される。このため、使用時にカレンダ用紙ＣＡが前記収容部１５から脱落することはない。
【００２３】
さらに、卓上カレンダＤＣは、第１部材１側に収容されたカレンダ用紙ＣＡだけを表示させるのではなく、このカレンダ用紙ＣＡとともに第２部材２側に写真Ｐを保持させて、カレンダ用紙ＣＡと写真Ｐの両方を表示させることも可能である。このときには、図６，図７に示すように、第１部材１の収容部１５にカレンダ用紙ＣＡを横向きに収容し、かつ、前記第２部材２に設けた受片２５と底壁２０との間に写真Ｐを横向きに挟み込んで、各部材１，２を転回させるのではなく左右方向に見開き状態として横向きに載置する。これにより、第１部材１側に収容されたカレンダ用紙ＣＡと第２部材２側に保持された写真Ｐがともに表示される。
【００２４】
また、卓上カレンダＤＣは、前記写真Ｐの場合と同様にして第２部材２側にカレンダ用紙ＣＡを保持させることにより、少なくとも２箇月のカレンダ表示を行うことも可能である。なお、１枚のカレンダ用紙ＣＡに例えば２箇月のカレンダが記載されている場合は、合計４箇月のカレンダ表示が行える。
【００２５】
さらに、写真Ｐの表示を行うようなときは、前記第２部材２に設けた第１，第２側壁２１，２２の支軸２３の形成部位を外方に弾性変形させながら、支軸２３を第１部材１の挿入孔１６から抜き出して、第２部材２を一旦取り外す。この後、図８に示すように、第２部材２の受片２５と底壁２０との間に写真Ｐを挟み込んで保持させ、この第２部材２を反転させてその底壁２０が表となるように支軸２３を介して第１部材１に取り付け、写真Ｐを第２部材２の底壁２０を介して表出させる。これにより、写真Ｐが直接外気に曝されて汚れるのが防止される。このとき、前記第１，第２部材１，２は透明なプラスチック材料で形成されているので、第２部材２に保持された写真Ｐの外部表出が確実に行える。
【００２６】
また、第２部材２を第１部材１に対し支軸２３を中心に転回させて閉鎖するとき、第１部材１に設けた受片２５は第２部材２の第１切欠き部１８に収納されるので、第２部材２の第１部材１に対する閉鎖が確実に行えて外観も良好となる。さらに、前記第１部材１内に収容されたカレンダ用紙ＣＡは、第１部材１に形成された第１切欠き部１８から一部露出されるので、この第１切欠き部１８の部分に指を当てて収容部１５内のカレンダ用紙ＣＡを挟むことにより、カレンダ用紙ＣＡを収容部１５外に容易に取り出すことも可能となって、月代わりの際にカレンダ用紙ＣＡを取り外す場合などに便利となる。
【００２７】
また、卓上カレンダＤＣは、図４の仮想線で示すように、前記保持片１７の左右両側に形成した第２切欠き部１７ａに書類ＰＡを差し込むことにより、ペーパホルダとしても利用可能である。
【図面の簡単な説明】
【００２８】
【図１】本発明にかかる卓上カレンダの一実施形態を示す分解斜視図である。
【図２】同卓上カレンダの組み立てた状態を示す斜視図である。
【図３】図２のＸ−Ｘ方向から見た断面図である。
【図４】卓上カレンダを机上に置いて使用するときの使用状態を示す斜視図である。
【図５】図４の使用状態時の縦断面図である。
【図６】カレンダ表示と写真表示を行う場合の使用状態を示す斜視図である。
【図７】図６の使用状態時の横断面図である。
【図８】写真表示を行うときの別の実施形態を説明する横断面図である。
【図９】本発明と従来例とのデッドスペースの発生状態を説明する説明図である。
【符号の説明】
【００２９】
１  第１部材
１０  底壁
１１〜１４  側壁
１５  収容部
１７  保持片
１７ａ  第２切欠き部
１８  第１切欠き部
１９  開口部
２  第２部材
２０  底壁
２１，２２  側壁
２４  開放部
２５  受片
ＣＡ  カレンダ用紙
【図１】
2005271388.tif 000003
【図２】
2005271388.tif 000004
【図３】
2005271388.tif 000005
【図４】
2005271388.tif 000006
【図５】
2005271388.tif 000007
【図６】
2005271388.tif 000008
【図７】
2005271388.tif 000009
【図８】
2005271388.tif 000010
【図９】
2005271388.tif 000011